(57)【要約】【課題】第１のレンズと、該第１のレンズの外周側に配置された第２のレンズとの相対的な位置関係の変化を抑制する。【解決手段】３Ｄアダプタ３００は、左眼光学系ＳＬの一部を構成する第２左レンズ群Ｇ２Ｌと、第２左レンズ群Ｇ２Ｌの外周側に並設され、右眼光学系ＳＲの一部を構成する第２右レンズ群Ｇ２Ｒと、第２左レンズ群Ｇ２Ｌと第２右レンズ群Ｇ２Ｒとを保持する中間レンズ枠４とを備えている。中間レンズ枠４は、第２左レンズ群Ｇ２Ｌ及び第２右レンズ群Ｇ２Ｒの外周を囲む本体部４１と、本体部４１から外方に突出した前側又は後側リブ４２，４３と、を有し、前側又は後側リブ４２，４３の少なくとも一部は、第２左レンズ群Ｇ２Ｌと第２右レンズ群Ｇ２Ｒとの間に設けられている。【選択図】図１２
2013145296.tif 000002
【特許請求の範囲】
【請求項１】
第１の光学系を構成する第１のレンズ群と、
前記第１のレンズ群の外周側に並設され、第２の光学系を構成する第２のレンズ群と、
前記第１のレンズ群と前記第２のレンズ群とを保持するレンズ枠と、を備え、
前記レンズ枠は、前記第１のレンズ群及び前記第２のレンズ群の外周を囲む本体部と、前記本体部から外方に突出したリブと、を有し、
前記リブの少なくとも一部は、前記第１のレンズ群と前記第２のレンズ群との間に設けられる、
レンズ鏡筒。
【請求項２】
前記リブは、少なくとも２つあり、前記第１の光学系又は前記第２の光学系の光軸方向に並んで配置されている、
請求項１に記載のレンズ鏡筒。
【請求項３】
前記第１のレンズ群は、少なくとも２つのレンズを有し、
前記第２のレンズ群は、少なくとも２つのレンズを有する、
請求項１又は２に記載のレンズ鏡筒
【発明の詳細な説明】
【技術分野】
【０００１】
本発明は、第１のレンズ群と、第１のレンズ群の外周側に並設された第２のレンズ群を備えたレンズ鏡筒に関するものである。
【背景技術】
【０００２】
従来より、３次元画像を撮影するためのレンズ鏡筒が知られている。例えば、特許文献１に係るレンズ鏡筒は、左眼用のレンズ群と、左眼用レンズ群の外周側に並設された右眼用のレンズ群とを備えている。このレンズ鏡筒が装着されるビデオカメラは、左眼用のレンズ群を介して左眼用画像を撮影し、右眼用のレンズ群を介して右眼用画像を撮影する。左眼用画像と右眼用画像とは視差を有しており、これらの画像を用いることによって３次元画像を作成することができる。
【先行技術文献】
【特許文献】
【０００３】
【特許文献１】特開平７−２７４２１４号公報
【発明の概要】
【発明が解決しようとする課題】
【０００４】
ところで、このようなレンズ鏡筒においては、１つのレンズ枠で２つのレンズ群を保持するように構成する場合がある。そのような構成においては、レンズ枠が熱により変形すると、２つのレンズ群の相対的な位置関係が変化する虞がある。２つのレンズ群の相対的な位置関係がずれると、適切な画像を撮影することが困難となる。
【０００５】
ここに開示された技術は、かかる点に鑑みてなされたものであり、その目的とするところは、第１のレンズ群と、該第１のレンズ群の外周側に並設された第２のレンズ群との相対的な位置関係の変化を抑制することにある。
【課題を解決するための手段】
【０００６】
ここに開示されたレンズ鏡筒は、第１の光学系を構成する第１のレンズ群と、前記第１のレンズ群の外周側に並設され、第２の光学系を構成する第２のレンズ群と、前記第１のレンズ群と前記第２のレンズ群とを保持するレンズ枠と、を備え、前記レンズ枠は、前記第１のレンズ群及び前記第２のレンズ群の外周を囲む本体部と、前記本体部から外方に突出したリブと、を有し、前記リブの少なくとも一部は、前記第１のレンズ群と前記第２のレンズ群との間に設けられるものとする。ここで、「外周側に並設」とは、２つのレンズ群が光軸方向に並んでいるのではなく、光軸と交差する方向に並んでいることを意味する。
【発明の効果】
【０００７】
前記レンズ鏡筒によれば、第１のレンズ群と第２のレンズ群との相対的な位置関係の変化を抑制することができる。
【図面の簡単な説明】
【０００８】
【図１】実施形態に係るビデオカメラユニットの斜視図である。
【図２】ビデオカメラと３Ｄアダプタとを分離させた状態のビデオカメラユニットの斜視図である。
【図３】ビデオカメラユニットの光学系の構成図である。
【図４】３Ｄアダプタの、右斜め前方且つ上方からの分解斜視図である。
【図５】３Ｄアダプタの、左斜め後方且つ上方からの斜視図である。
【図６】フロントケーシングを取り外した状態の３Ｄアダプタの正面図である。
【図７】第１調整機構の、左斜め前方且つ上方からの分解斜視図である。
【図８】鏡筒ユニット全体の、右斜め前方且つ上方からの分解斜視図である。
【図９】本体枠及び可動レンズ枠の、右斜め前方且つ上方からの分解斜視図である。
【図１０】本体枠及び可動レンズ枠の、左斜め前方且つ下方からの分解斜視図である。
【図１１】鏡筒ユニットの、左斜め前方且つ上方からの斜視図である。
【図１２】鏡筒ユニットの、右斜め前方且つ下方からの斜視図である。
【図１３】シャフトの基端部及びボス部１６の断面図である。
【図１４】中間レンズ枠の、左斜め前方且つ上方からの斜視図である。
【発明を実施するための形態】
【０００９】
以下、実施形態を図面に基づいて詳細に説明する。
【００１０】
［１．ビデオカメラユニット］
図１に、ビデオカメラユニット１００の斜視図を、図２に、ビデオカメラ２００と３Ｄアダプタ３００とを分離させた状態のビデオカメラユニットの１００の斜視図を示す。尚、本明細書では、説明の便宜上、互いに直交するＸ軸、Ｙ軸及びＺ軸のうち、Ｚ軸を後述するビデオカメラ２００の光軸とする。光軸方向における被写体側を前側、カメラ本体側を後側と称する場合がある。また、Ｘ軸方向を上下方向と称し、Ｙ軸方向を左右方向と称する場合がある。ビデオカメラユニット１００における上下左右は、ビデオカメラユニット１００を横長の画像が撮影できるように配置した状態を基準に定義する。左右方向については、前方を向いたときの右側を「右」と、左側を「左」と称する。
【００１１】
ビデオカメラユニット１００は、図１，２に示すように、ビデオカメラ２００と、３Ｄアダプタ３００とを備えている。３Ｄアダプタ３００は、３次元撮影を行うためのアダプタである。２次元撮影を行う場合には、ビデオカメラ２００に３Ｄアダプタ３００を取り付けることなく撮影を行う。一方、３次元撮影を行う場合は、ビデオカメラ２００に３Ｄアダプタ３００を取り付けて撮影を行う。
【００１２】
ビデオカメラ２００は、光軸Ａ１を有する本体光学系Ｓ１（詳しくは後述する）と撮像素子とを備えている。本体光学系Ｓ１は、所謂、１軸光学系である。本体光学系Ｓ１は、被写体からの光を取り込み、撮像素子の撮像面に結像させる。撮像素子は、撮像面に結像した光学像を電気信号に変換して出力する。例えば、撮像素子は、ＭＯＳイメージセンサ、ＣＣＤイメージセンサ、又はＣＭＯＳイメージセンサ等で構成される。ビデオカメラ２００は、静止画及び動画の撮影を行う。
【００１３】
３Ｄアダプタ３００は、ビデオカメラ２００に着脱可能なコンバージョンレンズである。３Ｄアダプタ３００は、光軸ＡＬ及び光軸ＡＲを有する２軸光学系を備えている。ビデオカメラ２００に３Ｄアダプタ３００を装着することによって、１軸光学系を２軸光学系に切り替えることができる。つまり、３Ｄアダプタを用いることによって、左右一対の光学系による並置撮影方式の撮影を行うことができる。
【００１４】
図３に、ビデオカメラユニット１００の光学系の構成図を示す。ビデオカメラ２００の本体光学系Ｓ１は、光軸Ａ１上に並んだ第１〜第４レンズ群Ｇ１〜Ｇ４を有している。第１レンズ群Ｇ１は、最も被写体側に位置するレンズ群である。第２レンズ群Ｇ２は、ズームレンズ群である。第３レンズ群Ｇ３は、像ブレを補正するためのレンズ群である。第４レンズ群Ｇ４は、フォーカスレンズ群である。尚、本明細書において、「レンズ群」は、１つのレンズで構成される場合もあれば、複数のレンズで構成される場合もある。
【００１５】
３Ｄアダプタ３００は、２軸光学系としての左眼光学系ＳＬ及び右眼光学系ＳＲを備えている。左眼光学系ＳＬ及び右眼光学系ＳＲは、実質的にアフォーカル光学系である。左眼光学系ＳＬと右眼光学系ＳＲとは、対称な構成をしている。左眼光学系ＳＬは、光軸ＡＬ上に並んだ第１左レンズ群Ｇ１Ｌ、第２左レンズ群Ｇ２Ｌ及び左プリズム群ＰＬを有している。右眼光学系ＳＲは、光軸ＡＲ上に並んだ第１右レンズ群Ｇ１Ｒ、第２右レンズ群Ｇ２Ｒ及び右プリズム群ＰＲを有している。光軸ＡＬと光軸ＡＲとは、略平行である。また、光軸ＡＬ及び光軸ＡＲのそれぞれは、光軸Ａ１と略平行である。左眼光学系ＳＬが第１の光学系の一例であり、右眼光学系ＳＲが第２の光学系の一例である。第２左レンズ群Ｇ２Ｌが第１のレンズ群の一例であり、第２右レンズ群Ｇ２Ｒが第２のレンズ群の一例である。
【００１６】
さらに詳しくは、第１左及び第１右レンズ群Ｇ１Ｌ，Ｇ１Ｒは、全体として負の焦点距離（負の屈折力）を有している。第１左レンズ群Ｇ１Ｌは、第１左レンズＬ１Ｌ、第２左レンズＬ２Ｌ及び第３左レンズＬ３Ｌを有している。同様に、第１右レンズ群Ｇ１Ｒは、第１右レンズＬ１Ｒ、第２右レンズＬ２Ｒ及び第３右レンズＬ３Ｒを有している。第２左及び第２右レンズ群Ｇ２Ｌ，Ｇ２Ｒは、全体として正の焦点距離（正の屈折力）を有している。第２左レンズ群Ｇ２Ｌは、第４左レンズＬ４Ｌ、第５左レンズＬ５Ｌ及び第６左レンズＬ６Ｌを有している。同様に、第２右レンズ群Ｇ２Ｒは、第４右レンズＬ４Ｒ、第５右レンズＬ５Ｒ及び第６右レンズＬ６Ｒを有している。左及び右プリズム群ＰＬ，ＰＲは、ウェッジプリズムである。左プリズム群ＰＬは、第１左及び第２左レンズ群Ｇ１Ｌ，Ｇ２Ｌを透過した光を、ビデオカメラ２００の本体光学系Ｓ１に導くように屈折させる。右プリズム群ＰＲは、第１右及び第２右レンズ群Ｇ１Ｒ，Ｇ２Ｒを透過した光を、ビデオカメラ２００の本体光学系Ｓ１に入射するように屈折させる。左プリズム群ＰＬは、第１左プリズムＰ１Ｌ及び第２左プリズムＰ２Ｌを有している。同様に、右プリズム群ＰＲは、第１右プリズムＰ１Ｒ及び第２右プリズムＰ２Ｒを有している。
【００１７】
左眼光学系ＳＬの光軸ＡＬは、第１左レンズ群Ｇ１Ｌ及び第２左レンズ群Ｇ２Ｌの各レンズの主点を通っている。また、右眼光学系ＳＲの光軸ＡＲは、第１右レンズ群Ｇ１Ｒ及び第２右レンズ群Ｇ２Ｒの各レンズの主点を通っている。光軸ＡＬと光軸ＡＲとは、厳密には平行ではなく、被写体側へ行くにしたがって互いに接近するように傾斜している。すなわち、光軸ＡＬと光軸ＡＲとは、所定の輻輳角を有しており、所定の輻輳点において交わる。また、光軸ＡＬ及び光軸ＡＲは、厳密には光軸Ａ１と平行ではなく、光軸Ａ１に対して角度を有している。
【００１８】
左眼光学系ＳＬに入射する、被写体からの光は、本体光学系Ｓ１を通って撮像素子に結像する。一方、右眼光学系ＳＲに入射する、被写体からの光は、本体光学系Ｓ１を通って撮像素子に結像する。左眼光学系ＳＬを介して撮像素子に結像する光学像と、右眼光学系ＳＲを介して撮像素子に結像する光学像とは、視差を有している。
【００１９】
尚、ビデオカメラ２００は、３Ｄアダプタ３００が装着されていないときには、撮像素子の撮像面全体を使って光学像を撮影する。一方、ビデオカメラ２００は、３Ｄアダプタ３００が装着されているときには、撮像素子の撮像面における左眼用領域に形成された光学像を左眼用画像として切り出し、撮像面における右眼用領域に形成された光学像を右眼用画像として切り出す。
【００２０】
［２．３Ｄアダプタの概略構成］
図４に、３Ｄアダプタ３００の、右斜め前方且つ上方からの分解斜視図を、図５に、３Ｄアダプタ３００の、左斜め後方且つ上方からの斜視図を、図６に、フロントケーシング４３０を取り外した状態の３Ｄアダプタ３００の正面図を示す。
【００２１】
３Ｄアダプタ３００は、ケーシング４００と、ケーシング４００に収容される鏡筒ユニット５００と、鏡筒ユニット５００の姿勢を調整する第１調整機構６００とを備えている。
【００２２】
ケーシング４００は、アッパケーシング４１０と、ロアケーシング４２０と、フロントケーシング４３０と、バックケーシング４４０と、を有している。バックケーシング４４０は、鏡筒ユニット５００の後部を覆っている。アッパケーシング４１０とロアケーシング４２０とは、バックケーシング４４０が取り付けられた状態の鏡筒ユニット５００を上下から挟み込んでいる。アッパケーシング４１０及びロアケーシング４２０の前端にフロントケーシング４３０が取り付けられる。ここで、鏡筒ユニット５００の上部の前端には、左右方向に延びるシャフト６５１が設けられており、このシャフト６５１にカバー４１２が回動自在に取り付けられる。このカバー４１２は、アッパケーシング４１０の上面に形成された操作部４１１を覆う部材である。
【００２３】
操作部４１１には、図５に示すように、第１調整機構６００を操作するための第１及び第２ダイヤル６１０，６２０（詳しくは、後述する）が設けられている。カバー４１２を開けることによって操作部４１１が現れ、第１及び第２ダイヤル６１０，６２０を操作することができる。カバー４１２は、撮影時などには、図１に示すように閉じた状態にしておく。
【００２４】
鏡筒ユニット５００は、左眼光学系ＳＬ及び右眼光学系ＳＲを構成するレンズ及びプリズムを保持している。尚、図４では、鏡筒ユニット５００のフロントパネル５１２を分離した状態を図示している。鏡筒ユニット５００の詳細な構成については、後述する。
【００２５】
第１調整機構６００は、ケーシング４００と鏡筒ユニット５００との間に介設されている。第１調整機構６００は、ケーシング４００に対する鏡筒ユニット５００のピッチ方向及びヨー方向の向きを調整する。
【００２６】
［３．第１調整機構］
図７に、第１調整機構６００の、左斜め前方且つ上方からの分解斜視図を示す。第１調整機構６００は、第１ダイヤル６１０と、第２ダイヤル６２０と、第１プレート６３０と、第２プレート６４０と、マウント６５０とを有している。尚、図７では、第１ダイヤル６１０の図示を省略している。第１ダイヤル６１０は、鏡筒ユニット５００のピッチ方向の向きを調整するためのダイヤルである。第２ダイヤル６２０は、鏡筒ユニット５００のヨー方向の向きを調整するためのダイヤルである。
【００２７】
鏡筒ユニット５００の上部の前端部には、マウント６５０が設けられている。第２ダイヤル６２０は、このマウント６５０に設置されている。また、マウント６５０には、前記カバー４１２を支持するためのシャフト６５１が設けられている。
【００２８】
第１プレート６３０と第２プレート６４０とは、重なり合った状態で、後端部がリベット６３５ａを介して互いに連結されている。第１プレート６３０と第２プレート６４０とは、後端部を上下方向に貫通する軸Ｒ１を中心に相対回転可能となっている。さらに、第１プレート６３０と第２プレート６４０とは、前後方向中央よりも少し前方の２箇所においてリベット６３５ｂで連結されている。リベット６３５ｂは、第２プレート６４０に形成された貫通穴６４１を貫通している。この貫通穴６４１は、軸Ｒ１を中心とする円弧に沿った長孔状に形成されている。そのため、第１プレート６３０と第２プレート６４０とは、リベット６３５ｂによって連結されているものの、軸Ｒ１を中心に相対的に回動することができる。
【００２９】
第１プレート６３０は、アッパケーシング４１０に取り付けられ、第２プレート６４０は、鏡筒ユニット５００に取り付けられる。詳しくは、第１プレート６３０は、左右の両端部に後方に延びる２つのアーム部６３１が設けられている。アーム部６３１は、比較的細く形成されており、容易に変形する。これらのアーム部６３１の先端には、ネジを介してブラケット６３２が取り付けられている。このブラケット６３２は、アッパケーシング４１０にネジ締結される。第２プレート６４０には、３つの取付孔６４２が形成されている。第２プレート６４０は、取付孔６４２を介して、鏡筒ユニット５００の上部にネジ締結される。
【００３０】
［３−１．ピッチ方向］
まず、ピッチ方向の向きを調整するための構成について説明する。第１プレート６３０の前端部には、連結部６３３が設けられており、この連結部６３３にはネジ孔が形成されている。このネジ孔には、第１ダイヤル６１０が螺合している。詳しくは、第１ダイヤル６１０は、図４に示すように、円盤状のダイヤル部６１１と、ダイヤル部６１１の中心から下方に延びるシャフト６１２とを有している。第１ダイヤル６１０は、ダイヤル部６１１が操作部４１１に位置し、シャフト６１２がケーシング４００の内方に進入するようにしてアッパケーシング４１０に配設されている。第１ダイヤル６１０は、スナップリング６５２が取り付けられる。これにより、第１ダイヤル６１０は、アッパケーシング４１０から抜けないようになっている。シャフト６１２の先端部には、ネジ部が設けられている。このシャフト６１２のネジ部が、連結部６３３のネジ孔に螺合している。このとき、シャフト６１２の、スナップリング６５２と連結部６３３との間には、圧縮状態のコイルバネ６５３が装着されている。
【００３１】
このような構成において、第１ダイヤル６１０を回転させると、シャフト６１２に螺合している連結部６３３が上下動する。第１プレート６３０は、前述の如く、アーム部６３１がブラケット６３２を介してアッパケーシング４１０に取り付けられていると共に、アーム部６３１が変形しやすい形状に形成されている。そのため、連結部６３３が上下動すると、アーム部６３１が変形して、左右のアーム部６３１を通過する軸Ｒ２周りに第１プレート６３０が回動する。その結果、鏡筒ユニット５００も軸Ｒ２周りに回動する。このように、第１ダイヤル６１０を回転させることによって、鏡筒ユニット５００のピッチ方向の向きを調整することができる。
【００３２】
ここで、第１ダイヤル６１０を回転させ過ると、シャフト６１２のネジ部が連結部６３３のネジ孔から抜け出る場合がある。しかしながら、本実施形態によれば、第１ダイヤル６１０を逆向きに回転させることによって、シャフト６１２のネジ部を連結部６３３のネジ孔に容易に螺合させることができる。詳しくは、鏡筒ユニット５００の下部には、図４，６に示すように、後述する第１板バネ７５が設けられている。一方、ロアケーシング４２０の内周面には、リブ状の当接部４２１が設けられている。第１板バネ７５は、ケーシング４００が鏡筒ユニット５００を収容した状態において、当接部４２１に当接して弾性変形している。つまり、鏡筒ユニット５００は、第１板バネ７５の弾性力により上方に付勢されている。一方、第１プレート６３０の連結部６３３には、圧縮状態のコイルバネ６５３が当接している。つまり、鏡筒ユニット５００は、コイルバネ６５３の弾性力により下方に付勢されている。そのため、シャフト６１２のネジ部が連結部６３３のネジ孔から抜け出たとしても、鏡筒ユニット５００は、第１板バネ７５の弾性力とコイルバネ６５３の弾性力との合力によって連結部６３３がシャフト６１２のネジ部に近づく方向へ付勢される。その結果、第１ダイヤル６１０を逆向きに回転させることによってシャフト６１２のネジ部を連結部６３３のネジ孔に容易に螺合させることができる。
【００３３】
［３−２．ヨー方向］
次に、ヨー方向の向きを調整するための構成について説明する。第２ダイヤル６２０は、図７に示すように、円盤状のダイヤル部６２１と、シャフト６２２と、ダイヤル部６２１とシャフト６２２とを連結するユニバーサルジョイント６２３とを有している。ダイヤル部６２１は、マウント６５０に設置されている。ダイヤル部６２１は、部分的に操作部４１１に露出している（図５参照）。シャフト６２２は、円筒部６２２ａと、円筒部６２２ａに連結されるシャフト部６２２ｂとを有している。シャフト部６２２ｂには、基端部寄りの位置にネジ部６２２ｃが設けられている。シャフト６２２は、略左右方向に延びた状態で配置されている。第１プレート６３０の前端部には、貫通孔を有するブラケット６３４が設けられている。シャフト部６２２ｂは、ブラケット６３４の貫通孔を貫通しており、シャフト部６２２ｂの基端部及び円筒部６２２ａがブラケット６３４に当接している。また、第２プレート６４０の前端部には右ブラケット６４３と左ブラケット６４４とが対向して設けられている。右ブラケット６４３には、ネジ孔が形成されている。左ブラケット６４４には、右ブラケット６４３のネジ孔と同軸上に貫通孔が形成されている。第１プレート６３０のブラケット６３４を貫通したシャフト部６２２ｂは、ネジ部６２２ｃが右ブラケット６４３のネジ孔に螺合すると共に、先端部が左ブラケット６４４の貫通孔に挿通される。シャフト部６２２ｂの、左ブラケット６４４よりも先端側には圧縮状態のコイルバネ６２４が装着され、さらに先端側にスナップリング６２５が取り付けられている。
【００３４】
このような構成において、第２ダイヤル６２０を回転させると、シャフト部６２２ｂに螺合している右ブラケット６４３が左右に移動する。第１プレート６３０は、ケーシング４００に取り付けられており、第２プレート６４０は、第１プレート６３０に軸Ｒ１を中心に回動自在に連結されている。そのため、右ブラケット６４３が左右に移動すると、第２プレート６４０は、ケーシング４００に対して軸Ｒ１を中心に回動する。この第２プレート６４０は、鏡筒ユニット５００に取り付けられている。したがって、鏡筒ユニット５００も、第２プレート６４０と共に軸Ｒ１周りに回動する。このように、第２ダイヤル６２０を回転させることによって、鏡筒ユニット５００のヨー方向の向きを調整することができる。
【００３５】
ここで、第２ダイヤル６２０を回転させ過ぎると、シャフト部６２２ｂのネジ部６２２ｃが右ブラケット６４３のネジ孔から抜け出る場合がある。しかしながら、本実施形態によれば、第２ダイヤル６２０を逆向きに回転させることによって、シャフト部６２２ｂのネジ部６２２ｃを右ブラケット６４３のネジ孔に容易に螺合させることができる。詳しくは、第１プレート６３０の前端部には、左側に延びるアーム部６３６が設けられている。第２プレート６４０の前端部には、アーム部６４５が設けられている。これらアーム部６３６，６４５には、伸縮状態のコイルバネ６２６が取り付けられている（図４参照）。このコイルバネ６２６の弾性力により、第１プレート６３０と第２プレート６４０とは、アーム部６３６，６４５同士が接近する方向にＲ１軸周りに付勢されている。すなわち、第１プレート６３０と第２プレート６４０とは、コイルバネ６２６により、右ブラケット６４３がシャフト６２２ｂの先端に向かうように付勢されている。一方、前述の如く、シャフト部６２２ｂの前端部には、圧縮状態のコイルバネ６２４が装着されている。このコイルバネ６２４の弾性力により、第２プレート６４０は、左ブラケット６４４がシャフト部６２２ｂの基端側に向かうように、即ち、右ブラケット６４３もシャフト部６２２ｂの基端側に向かうように付勢されている。その結果、右ブラケット６４３がシャフト部６２２ｂのネジ部６２２ｃよりも基端側に位置するようになっても、右ブラケット６４３は、コイルバネ６２６によりネジ部６２２ｃに接近するように付勢される。一方、右ブラケット６４３がシャフト部６２２ｂのネジ部６２２ｃよりも先端側に位置するようになったとしても、右ブラケット６４３は、コイルバネ６２４によりネジ部６２２ｃに接近するように付勢される。よって、シャフト部６２２ｂのネジ部６２２ｃが右ブラケット６４３のネジ孔から抜け出たとしても、第２ダイヤル６２０を逆向きに回転させることによってシャフト部６２２ｂのネジ部６２２ｃを右ブラケット６４３のネジ孔に容易に螺合させることができる。
【００３６】
［４．鏡筒ユニット］
図８に、鏡筒ユニット５００全体の、右斜め前方且つ上方からの分解斜視図を示す。鏡筒ユニット５００は、本体枠１と、中間レンズ枠４と、プリズム枠５と、第２調整機構６とを備えている。本体枠１は、第１左レンズ群Ｇ１Ｌを保持している。詳しくは後述するが、第２調整機構６の一部を構成する可動レンズ枠３は、第１右レンズ群Ｇ１Ｒを保持している。中間レンズ枠４は、第２左及び第２右レンズ群Ｇ２Ｌ，Ｇ２Ｒを保持している。プリズム枠５は、プリズム群ＰＬ，ＰＲを保持している。本体枠１、中間レンズ枠４及びプリズム枠５は、取付ネジ５１１を介して一体に結合されている。可動レンズ枠３は、シャフト６０を介して本体枠１に支持されている。第２調整機構６は、本体枠１に対する、第１右レンズ群Ｇ１Ｒの略前後、左右、上下方向の位置を調整することができる。鏡筒ユニット５００の前端には、フロントパネル５１２（図４にのみ図示）が取り付けられ、鏡筒ユニット５００の後端には、ロアパネル（図示省略）が取り付けられている。中間レンズ枠４はレンズ枠の一例である。
【００３７】
［４−１．本体枠及び第２調整機構］
図９に、本体枠１及び第２調整機構６の、右斜め前方且つ上方からの分解斜視図を、図１０に、本体枠１及び第２調整機構６の、左斜め前方且つ下方からの分解斜視図を、図１１に、鏡筒ユニット５００の、左斜め前方且つ上方からの斜視図を、図１２に、鏡筒ユニット５００の、右斜め前方且つ下方からの斜視図を示す。
【００３８】
本体枠１は、図９，１０に示すように、互いに連結された左筒部１１Ｌと右筒部１１Ｒとを有する筒状の部材である。詳しくは、本体枠１は、略平行に並ぶ二本の円筒を側周面において結合して一本の筒にした形状をしている。本体枠１の後端には、中間レンズ枠４を取り付けるためのフランジ１２が設けられている。フランジ１２には、取付ネジ５１１が挿通させられる挿通孔１２ａが、右上の隅と、左上の隅と、下部の左右中央との３箇所に形成されている。本体枠１の内部には、遮光板１３が設けられている（図９にのみ図示）。本体枠１の内部空間は、遮光板によって左眼用スペースと右眼用スペースとに仕切られている。左筒部１１Ｌの前端には、レンズ枠部１４が設けられている。レンズ枠部１４は、第１レンズ群Ｇ１Ｌを保持している。右筒部１１Ｒの前端には、レンズ枠部１４よりも大きく開口する開口部１５が形成されている。
【００３９】
第２調整機構６は、第１右レンズ群Ｇ１Ｒを保持する可動レンズ枠３と、本体枠１に設けられ、可動レンズ枠３を支持するシャフト６０と、可動レンズ枠３を所定の方向に付勢するコイルバネ７４及び第１板バネ７５と、シャフト６０を所定の方向に付勢する第２板バネ７６と、可動レンズ枠３の位置を調整する第１〜第３調整ネジ７１〜７３とを有している。シャフト６０は、金属製である。
【００４０】
可動レンズ枠３は、樹脂製であって、図９，１０に示すように、枠状の本体部３１と、軸受部３２と、第１突片３３と、第２突片３４とを有している。本体部３１は、略方形の平板と円筒とを組み合わせた形状をしている。詳しくは、本体部３１は、平板の中央に開口が形成され、この開口に円筒が設けられている。第１右レンズ群Ｇ１Ｒは、本体部３１の円筒に保持されている。軸受部３２は、本体部の下辺において後方に延びるように設けられている。軸受部３２には、図１０に示すように、２つの壁部３２ａが設けられている。各壁部３２ａには、前後方向に貫通する貫通孔が形成されている。これらの貫通孔には、シャフト６０が挿通される。第１突片３３は、図９に示すように、本体部３１の上辺の中央よりも少し右寄りの部分において後方に突出している。第１突片３３には、左右方向に貫通する貫通孔３３ａが形成されている。この貫通孔３３ａには、第２調整ネジ７２が挿通される。第２調整ネジ７２は、本体枠１に締結される。第２突片３４は、図９，１０に示すように、本体部３１の下辺において軸受部３２の左側に設けられている。第２突片３４と軸受部３２とは、一体に形成されている。第２突片３４には、前後方向に貫通する貫通孔３４ａ（図１０にのみ図示）が形成されている。この貫通孔３４ａには、第１調整ネジ７１が挿通される。第１調整ネジ７１は、本体枠１に締結される。また、第２突片３４には、後述する第１板バネ７５が当接する当接部３４ｂが左方に突出して形成されている。
【００４１】
右筒部１１Ｒの外周面における、下方且つ後方の位置には、図１０，１２に示すように、ボス部１６が設けられている。詳しくは後述するが、ボス部１６には、前方に開口する嵌合孔が形成されている。このボス部１６の嵌合孔に、シャフト６０の基端部が挿通されている。シャフト６０は、略光軸方向に延びている。シャフト６０の先端は、本体枠１の下部に取り付けられた第２板バネ７６で支持されている。第２板バネ７６には、挿通孔７６ｂが形成されており、挿通孔７６ｂには第３調整ネジ７３が挿通されている。第３調整ネジ７３は、本体枠１に締結されている。本体枠１の下部には、第２板バネ７６の左側に第１板バネ７５が取り付けられている。第１板バネ７５は、可動レンズ枠３の当接部３４ｂに当接している。
【００４２】
可動レンズ枠３は、図１２に示すように、本体枠１のシャフト６０に支持されている。詳しくは、可動レンズ枠３の軸受部３２に、シャフト６０が挿通されている。このとき、シャフト６０の、可動レンズ枠３の軸受部３２と本体枠１のボス部１６との間にはコイルバネ７４が装着されている。このように可動レンズ枠３がシャフト６０に支持される結果、可動レンズ枠３は、本体枠１の開口部１５（図９，１０にのみ図示）を覆った状態となり、第１右レンズ群Ｇ１Ｒと第１左レンズ群Ｇ１Ｌとが左右に並んだ状態となる。そして、第１〜第３調整ネジ７１〜７３を操作することによって、第１右レンズ群Ｇ１Ｒの略前後、左右、上下方向の位置を調整することができる。この調整の詳細については、後述する。
【００４３】
［４−２．中間レンズ枠］
図１３に、中間レンズ枠４の、左斜め前方且つ上方からの斜視図を示す。中間レンズ枠４は、本体部４１と、本体部４１の外周面に設けられた前側及び後側リブ４２，４３とを有している。本体部４１は、互いに連結された左筒部４１Ｌと右筒部４１Ｒとを有する筒状の部材である。詳しくは、本体部４１は、略平行に並ぶ二本の円筒を側周面において一体に結合した形状をしている。左筒部４１Ｌと右筒部４１Ｒとの間には、仕切板４４が設けられている。左筒部４１Ｌは、第２左レンズ群Ｇ２Ｌを保持している。右筒部４１Ｒは、第２右レンズ群Ｇ２Ｒを保持している。図示は省略するが、第４左レンズＬ４Ｌは、左筒部４１Ｌの前部に保持されている。第５左レンズＬ５Ｌ及び第６左レンズＬ６Ｌは、左筒部４１Ｌの後部に保持されている。また、第４右レンズＬ４Ｒは、右筒部４１Ｒの前部に保持されている。第５右レンズＬ５Ｒ及び第６右レンズＬ６Ｒは、右筒部４１Ｒの後部に保持されている。
【００４４】
前側リブ４２は、本体部４１の前部に設けられている。前側リブ４２は、本体部４１の外周面の全周に亘って設けられ、フランジ状に形成されている。そのため、前側リブ４２は、前側フランジ４２と称することもできる。前側リブ４２は、光軸Ａ１と直交する面内、即ち、光軸ＡＬと光軸ＡＲと概ね直交する面内で延びている。
【００４５】
後側リブ４３は、本体部４１の後部に設けられている。後側リブ４３は、本体部４１の外周面の全周に亘って設けられ、フランジ状に形成されている。そのため、後側リブ４３は、後側フランジ４３と称することもできる。後側リブ４３は、光軸Ａ１と直交する面内、即ち、光軸ＡＬと光軸ＡＲと概ね直交する面内で延びている。
【００４６】
前側リブ４２と後側リブ４３との間には、複数のボス部４５が設けられている。詳しくは、中間レンズ枠４の右上の隅と、左上の隅と、下部の左右中央との３箇所にボス部４５が設けられている。ボス部４５には、前後方向に貫通する挿通孔４５ａが形成されている。詳しくは後述するが、前側及び後側リブ４２，４３は、本体枠１、中間レンズ枠４及びプリズム枠５を取り付ける際のフランジとして機能する。
【００４７】
［４−３．プリズム枠］
プリズム枠５は、図８に示すように、本体部５１と、本体部５１の外周面に設けられたフランジ５２とを有している。本体部５１は、略平行に並ぶ二本の円筒を側周面において一体に結合した筒状の部材である。フランジ５２は、本体部５１の前端において、本体部５１の外周面の全周に亘って設けられている。フランジ５２には、複数のボス部５３が設けられている。詳しくは、フランジ５２の右上の隅と、左上の隅と、下部の左右中央との３箇所にボス部５３が設けられている。ボス部５３には、前方に開口するネジ孔５３ａが形成されている。
【００４８】
［４−４．組み立て］
このように構成された本体枠１、中間レンズ枠４及びプリズム枠５は、取付ネジ５１１を介して結合される。詳しくは、図１１，１２に示すように、本体枠１のフランジ１２と中間レンズ枠４の前側リブ４２が重ね合わされる。また、中間レンズ枠４の後側リブ４３とプリズム枠５のフランジ５２とが重ね合わされる。この状態で、取付ネジ５１１を、フランジ１２の挿通孔１２ａ及びボス部４５の挿通孔４５ａに挿通させ、フランジ５２のネジ孔５３ａに螺合させる。こうして、本体枠１、中間レンズ枠４及びプリズム枠５が一体に結合される。
【００４９】
［５．第１右レンズ群の位置調整］
以下に、第１右レンズ群Ｇ１Ｒの位置調整について説明する。尚、第１右レンズ群Ｇ１Ｒの位置調整は、ユーザが行ってもよいし、出荷前やメンテナンス時に工場内で行ってもよい。
【００５０】
［５−１．第１右レンズ群の前後方向の位置調整］
まず、第１右レンズ群Ｇ１Ｒの前後方向への位置調整について説明する。詳しくは、本体枠１のうち、可動レンズ枠３の第２突片３４と対向する部分には、図１０に示すように、ネジ孔１７が形成されている。第２突片３４の貫通孔３４ａには、第１調整ネジ７１が挿通され、この第１調整ネジ７１は、ネジ孔１７に螺合している。第１調整ネジ７１をネジ孔１７に螺合させることによって、コイルバネ７４が圧縮状態となっている。
【００５１】
この状態において、第１調整ネジ７１を締めることによって、コイルバネ７４の弾性力に抗して、可動レンズ枠３をシャフト６０に沿って後方に移動させることができる。一方、第１調整ネジ７１を緩めることによって、コイルバネ７４の弾性力により、可動レンズ枠３をシャフト６０に沿って前方へ移動させることができる。このように第１調整ネジ７１を操作することによって、可動レンズ枠３、即ち、第１右レンズ群Ｇ１Ｒの略前後方向の位置を調整することができる。
【００５２】
第１右レンズ群Ｇ１Ｒの前後方向位置を調整することによって、左眼光学系ＳＬの焦点の位置と右眼光学系ＳＲの焦点の位置とを合わせることができる。詳しくは、本来は１軸光学系のビデオカメラユニット１００を３Ｄアダプタ３００によって２軸光学系に切り替える構成においては、フォーカスレンズは、ビデオカメラユニット１００の１軸光学系に含まれ、３Ｄアダプタ３００の２軸光学系にはフォーカスレンズが設けられていないことが通常である。その場合、左眼用画像と右眼用画像の焦点は、ビデオカメラユニット１００のフォーカスレンズによって同時に調整される。そのため、３Ｄアダプタ３００においては、左眼光学系ＳＬの焦点位置と右眼光学系ＳＲとの焦点位置とを合わせておく必要がある。前記の構成によれば、第１右レンズ群Ｇ１Ｒの前後方向位置を調整することができるので、左眼光学系ＳＬの焦点位置と右眼光学系ＳＲとの焦点位置とを合わせることができる。
【００５３】
尚、貫通孔３４ａの内径は第１調整ネジ７１の外径に比べて大きいため、後述する可動レンズ枠３の左右方向及び上下方向への移動を阻害しない。
【００５４】
［５−２．第１右レンズ群の左右方向の位置調整］
次に、第１右レンズ群Ｇ１Ｒの略左右方向への位置調整について説明する。詳しくは、左筒部１１Ｌの下部には、図１０，１２に示すように、第１ベース部１８が設けられている。第１ベース部１８には、第１板バネ７５がネジ１８ａにより取り付けられる。第１ベース部１８には、２つの位置決めピン１８ｂが設けられている。第１板バネ７５は、位置決めピン１８ｂにより位置決めがなされる。第１板バネ７５は、第１自由端７５ａと第２自由端７５ｂとを有している。第１自由端７５ａは、平板状に形成されて、前方に延びている。第２自由端７５ｂは、前方且つ下方に傾斜して延びている。第１自由端７５ａは、可動レンズ枠３の第２突片３４の当接部３４ｂに当接している。
【００５５】
一方、図１０に示すように、本体枠１の上部には、第１突片３３と対向する部分にネジ孔１９が形成されている。図１１に示すように、第１突片３３の貫通孔３３ａには、第２調整ネジ７２が挿通され、この第２調整ネジ７２は、ネジ孔１９に螺合している。第２調整ネジ７２をネジ孔１９に螺合させることによって、可動レンズ枠３はシャフト６０を中心に、第１突片３３が左側に移動するように回動し、それにより第２突片３４が下方へ移動する。その結果、第１板バネ７５の第１自由端７５ａは、下方へ弾性変形している。
【００５６】
この状態において、第２調整ネジ７２を締めることによって、可動レンズ枠３は、シャフト６０を中心とし、第１突片３３、即ち、可動レンズ枠３の上部が左側へ移動するように回動させられる。このとき、第１板バネ７５はさらに下方へ弾性変形させられる。一方、第２調整ネジ７２を緩めることによって、第１板バネ７５の第１自由端７５ａの弾性力により、可動レンズ枠３は、シャフト６０を中心とし、第１突片３３、即ち、可動レンズ枠３の上部が右側へ移動するように回動させられる。
【００５７】
ここで、シャフト６０は、可動レンズ枠３の下部に位置し、第２調整ネジ７２は、可動レンズ枠３の上部に位置する。それに加えて、第１右レンズ群Ｇ１Ｒの光軸の移動量は、シャフト６０と第１レンズ群Ｇ１Ｒの光軸との距離に比べて微小である。そのため、可動レンズ枠３が前述のように回動させられる結果、第１右レンズ群Ｇ１Ｒは、略左右に平行移動するとみなすことができる。つまり、第２調整ネジ７２を操作することによって、可動レンズ枠３、即ち、第１右レンズ群Ｇ１Ｒの略左右方向の位置を調整することができる。
【００５８】
第１右レンズ群Ｇ１Ｒの左右方向位置を調整することによって、左眼光学系ＳＬと右眼光学系ＳＲとの輻輳点を調整することができる。詳しくは、右眼光学系ＳＲの光軸ＡＲは、前述の如く、左眼光学系ＳＬの光軸ＡＬに対して、厳密には平行ではなく、微小な角度を有している。第１右レンズ群Ｇ１Ｒの左右方向位置が変化すると、右眼光学系ＳＲの光軸ＡＲは、左眼光学系ＳＬの光軸ＡＬに対して傾斜した状態で左右に平行移動する。その結果、光軸ＡＲと光軸ＡＬとの輻輳点の位置が変化する。つまり、第１右レンズ群Ｇ１Ｒの左右方向位置を調整することによって、左眼光学系ＳＬと右眼光学系ＳＲとの輻輳点を調整することができる。
【００５９】
尚、貫通孔３３ａの内径は第２調整ネジ７２の外径に比べて大きいため、可動レンズ枠３の前後方向及び上下方向への移動を阻害しない。
【００６０】
尚、第１板バネ７５の第２自由端７５ｂは、前述の如く、鏡筒ユニット５００がケーシング４００に収容された状態において、ロアケーシング４２０の当接部４２１に当接して弾性変形する。つまり、第２自由端７５ｂは、鏡筒ユニット５００を上方に付勢する。
【００６１】
［５−３．第１右レンズ群の上下方向の位置調整］
次に、第１右レンズ群Ｇ１Ｒの上下方向への位置調整について説明する。図１４に、シャフト６０の基端部及びボス部１６の断面図を示す。ボス部１６の嵌合孔１６ａは、開口端に向かって内径が大きくなるテーパ孔である。厳密には、嵌合孔１６ａは、平行部１６ｂと、テーパ部１６ｃとを有している。平行部１６ｂは、内径が変わらない平行孔であって、嵌合孔１６ａの底側に位置している。テーパ部１６ｃは、開口端に向かって内径が大きくなるテーパ状に形成されており、平行部１６ｂよりも開口端側に位置している。平行部１６ｂの長さは僅かであり、嵌合孔１６ａの大部分はテーパ部１６ｃで構成されている。そのため、シャフト６０は、嵌合孔１６ａにより傾動可能に支持されている。尚、シャフト６０の基端部は、面取りされている。この面取りにより、シャフト６０の基端面と、嵌合孔１６ａの底面との接触面積が小さくなっている。これにより、シャフト６０は、嵌合孔１６ａに対してさらに傾動しやすくなっている。一方、シャフト６０の先端は、第２板バネ７６に支持されている。図１０，１２に示すように、右筒部１１Ｒの外周面における下方の位置であってボス部１６の右側には、第２ベース部２０が設けられている。第２板バネ７６は、第２ベース部２０にネジ２０ａを介して取り付けられている。第２ベース部２０には、２つの位置決めピン２０ｂが設けられている。第２板バネ７６は、位置決めピン２０ｂにより位置決めがなされる。また、第２板バネ７６の前端部は、上方に屈曲している。第２板バネ７６の前端部には、係合孔７６ａが形成されている。シャフト６０の先端は、面取りされてテーパ状になっており、係合孔７６ａに係合している。こうして、第２板バネ７６がシャフト６０の先端を支持している。ここで、第２板バネ７６は、後部だけが第２ベース部２０に当接しており、前部は、右筒部１１Ｒと当接しておらず、右筒部１１Ｒから離間している。第２板バネ７６の前部には、図１０に示すように、挿通孔７６ｂが貫通形成されている。右筒部１１Ｒのうち、第２板バネ７６の挿通孔７６ｂと対向する部分にはネジ孔２２が形成されている。第２板バネ７６の挿通孔７６ｂには、第３調整ネジ７３が挿通され、この第３調整ネジ７３がネジ孔２２に螺合している。第３調整ネジ７３の螺合により、第２板バネ７６の前部は、上方へ弾性変形している。
【００６２】
この状態において、第３調整ネジ７３を締めることによって、第２板バネ７６の弾性力に抗して、シャフト６０を上方に傾動させることができる。一方、第３調整ネジ７３を緩めることによって、第２板バネ７６の弾性力により、シャフト６０を下方へ傾動させることができる。こうすることで、可動レンズ枠３は、シャフト６０の基端部を中心に上下に回動することになる。ここで、第１右レンズ群Ｇ１Ｒの光軸の移動量は、シャフト６０の長さに比べて微小である。そのため、可動レンズ枠３が前述のように回動させられる結果、第１右レンズ群Ｇ１Ｒは、略上下に平行移動するとみなすことができる。つまり、第３調整ネジ７３を操作することによって、可動レンズ枠３、即ち、第１右レンズ群Ｇ１Ｒの略上下方向の位置を調整することができる。
【００６３】
第１右レンズ群Ｇ１Ｒの上下方向位置を調整することによって、左眼用画像と右眼用画像の上下位置を合わせることができる。詳しくは、左眼用画像と右眼用画像とで３次元画像を形成するため、左眼用画像の撮影範囲と右眼用画像の撮影範囲とが一致することが好ましい。また、撮像素子の撮像面には、左眼用画像が結像する領域と右眼用画像が結像する領域とが設定されているため、左眼用画像と右眼用画像とを所定の位置に結像させる必要がある。本実施形態によれば、第２調整機構６が設けられているので、左眼用画像と右眼用画像との全体的な上下位置を調整することができる。そのため、左眼用画像と右眼用画像との相対的な上下位置を別途、揃える必要がある。前記の構成によれば、第１右レンズ群Ｇ１Ｒの上下方向位置を調整することによって、左眼用画像と右眼用画像の相対的な上下位置を合わせることができる。
【００６４】
［６．中間レンズ枠の熱変形の抑制］
前記中間レンズ枠４は、前側及び後側リブ４２，４３を有しており、これにより、中間レンズ枠４の熱変形に起因する第２左及び第２右レンズ群Ｇ２Ｌ，Ｇ２Ｒの位置のズレが抑制される。詳しくは、中間レンズ枠４は、異なる光軸を有する２つのレンズ群、具体的には、第２左レンズ群Ｇ２Ｌと第２右レンズ群Ｇ２Ｒとを保持している。そのため、中間レンズ枠４の本体部４１には、第２左レンズ群Ｇ２Ｌを保持する左筒部４１Ｌと、第２右レンズ群Ｇ２Ｒを保持する右筒部４１Ｒとが設けられている。このような構成においては、中間レンズ枠４の熱変形によって左筒部４１Ｌと右筒部４１Ｒとの相対的な位置関係が変化すると、第２左レンズ群Ｇ２Ｌと第２右レンズ群Ｇ２Ｒとの相対的な位置関係も変化してしまう。その結果、各レンズの上下、左右、前後方向の位置が適切な位置からずれたり、それにより各レンズの光軸が適切な状態から傾いたりする虞がある。それに対し、前記中間レンズ枠４は、本体部４１から外方に突出する前側及び後側リブ４２，４３を有し、前側及び後側リブ４２，４３の少なくとも一部は、左筒部４１Ｌと右筒部４１Ｒとに跨って延びている。詳しくは、本体部４１の左右方向中央部には、左筒部４１Ｌから右筒部４１Ｒに亘って延びる前側及び後側リブ４２，４３が設けられている。これら前側及び後側リブ４２，４３によって、中間レンズ枠４が熱変形する際の左筒部４１Ｌと右筒部４１Ｒとの相対的な位置関係の変化を抑制することができる。その結果、中間レンズ枠４の熱変形に起因する第２左レンズ群Ｇ２Ｌと第２右レンズ群Ｇ２Ｒとの相対的な位置関係の変化を抑制することができる。
【００６５】
並設された２つのレンズ群を保持する本体部４１は、該並設方向への寸法が大きくなる。そのため、中間レンズ枠４が熱変形する際には、並設方向への変形量が大きくなってしまう。それに対し、前側及び後側リブ４２，４３のうち、左筒部４１Ｌと右筒部４１Ｒとに跨って延びている部分は、左筒部４１Ｌと右筒部４１Ｒとの並設方向（即ち、左右方向）に延びている。それにより、本体部４１の並設方向への熱変形を抑制することができる。そのため、中間レンズ枠４が熱変形する際の左筒部４１Ｌと右筒部４１Ｒとの相対的な位置関係の変化をより効果的に抑制することができる。
【００６６】
また、前側及び後側リブ４２，４３のうち、左筒部４１Ｌと右筒部４１Ｒとに跨って延びている部分は、本体部４１の上部と下部とに設けられているので、中間レンズ枠４が熱変形する際の左筒部４１Ｌと右筒部４１Ｒとの相対的な位置関係の変化態様を本体部４１の上下で同様にすることができる。その結果、その結果、第２左レンズ群Ｇ２Ｌと第２右レンズ群Ｇ２Ｒとの相対的な位置関係の変化をより一層抑制することができる。
【００６７】
さらに、本実施形態では、前側及び後側リブ４２，４３を本体部４１の外周面の全周に亘って設けている。これにより、本体部４１の熱変形をより一層抑制することができる。
【００６８】
また、本体部４１の前部に前側リブ４２が設けられ、本体部４１の後部に後側リブ４３が設けられている。これにより、第２左及び第２右レンズ群Ｇ２Ｌ，Ｇ２Ｒの光軸が適切な状態から傾くことを抑制することができる。詳しくは、中間レンズ枠４の本体部４１は、その前部において第４左及び第４右レンズＬ４Ｌ，Ｌ４Ｒを保持し、その後部において第５左、第６左、第５右及び第６右レンズＬ５Ｌ，Ｌ６Ｌ，Ｌ５Ｒ，Ｌ６Ｒを保持している。本体部４１の前部と後部とで熱変形の態様が異なると、第２左及び第２右レンズ群Ｇ２Ｌ，Ｇ２Ｒの光軸が適切な状態から傾く虞がある。例えば、中間レンズ枠４の後部にだけ取付用のフランジが設けられている場合には、本体部４１の後部は、フランジにより熱変形が制限される一方、前部は比較的自由に熱変形する。その結果、本体部４１の前部と後部とで熱変形の態様が異なり、各レンズの光軸が適切な状態から傾いたりする虞がある。それに対して、リブを本体部４１の前部と後部とに設けることによって、本体部４１の前部と後部との両方において、熱変形を抑制することができる。つまり、本体部４１の前部における熱変形と後部における熱変形とを均衡させることができる。その結果、第２左及び第２右レンズ群Ｇ２Ｌ，Ｇ２Ｒの光軸が適切な状態から傾くことを抑制することができる。
【００６９】
さらにまた、本実施形態では、前側及び後側リブ４２，４３を中間レンズ枠４の取付に用いている。この取付により、前側及び後側リブ４２，４３自体が変形し難くなる。その結果、本体部４１の熱変形をより一層抑制することができる。
【００７０】
［７．効果］
本実施形態によれば、３Ｄアダプタ３００は、左眼光学系ＳＬの一部を構成する第２左レンズ群Ｇ２Ｌと、前記第２左レンズ群Ｇ２Ｌの外周側に並設され、右眼光学系ＳＲの一部を構成する第２右レンズ群Ｇ２Ｒと、前記第２左レンズ群Ｇ２Ｌと前記第２右レンズ群Ｇ２Ｒとを保持する中間レンズ枠４とを備えている。前記中間レンズ枠４は、前記第２左レンズ群Ｇ２Ｌ及び前記第２右レンズ群Ｇ２Ｒの外周を囲む本体部４１と、前記本体部４１から外方に突出した前側又は後側リブ４２，４３と、を有し、前記前側又は後側リブ４２，４３の少なくとも一部は、前記第２左レンズ群Ｇ２Ｌと前記第２右レンズ群Ｇ２Ｒとの間に設けられている。
【００７１】
すなわち、本体部４１は、第１のレンズ群を保持する第１保持部としての左筒部４１Ｌと、第２のレンズ群を保持する第２保持部としての右筒部４１Ｒとを有し、前側又は後側リブ４２，４３の少なくとも一部は、左筒部４１Ｌと右筒部４１Ｒとに亘って設けられている。
【００７２】
前記の構成によれば、第２左レンズ群Ｇ２Ｌを保持する左筒部４１Ｌと第２右レンズ群Ｇ２Ｒを保持する右筒部４１Ｒとの相対的な位置関係の変化を抑制することができるので、中間レンズ枠４が熱変形する際の第２左レンズ群Ｇ２Ｌと第２右レンズ群Ｇ２Ｒとの相対的な位置関係の変化を抑制することができる。その結果、第２左レンズ群Ｇ２Ｌ及び第２右レンズ群Ｇ２Ｒが適切な位置からずれたり、第２左レンズ群Ｇ２Ｌ及び第２右レンズ群Ｇ２Ｒの光軸が適切な状態から傾いたりすることを抑制することができる。
【００７３】
また、前記リブは、少なくとも２つあり（具体的には、前側及び後側リブ４２，４３）、それらは前記左眼光学系ＳＬ又は前記右眼光学系ＳＲの光軸方向に並んで配置されている。
【００７４】
すなわち、前側リブ４２と後側リブ４３とは、左眼光学系ＳＬの光軸方向に見た場合に、並んで配置されている。また、前側リブ４２と後側リブ４３とは、右眼光学系ＳＲの光軸方向に見た場合にも並んで配置されている。こうすることで、本体部４１のうち左眼光学系ＳＬ又は右眼光学系ＳＲの光軸方向の一方側の部分の変形と、本体部４１のうち該光軸の他方側の部分の変形とを共に抑制することができる。すなわち、本体部４１において、該光軸方向の一方側の部分と他方側の部分とで変形態様が異なると、第２左レンズ群Ｇ２Ｌ及び第２右レンズ群Ｇ２Ｒの光軸が適切な状態から傾く虞がある。前記の構成によれば、第２左レンズ群Ｇ２Ｌ及び第２右レンズ群Ｇ２Ｒの光軸の傾きのずれを抑制することができる。
【００７５】
さらに、前記第２左レンズ群Ｇ２Ｌは、少なくとも２つのレンズ（具体的には、第４左〜第６左レンズＬ４Ｌ〜Ｌ６Ｌ）を有し、前記第２右レンズ群Ｇ２Ｒは、少なくとも２つのレンズ（具体的には、第４右〜第６右レンズＬ４Ｒ〜Ｌ６Ｒ）を有する。すなわち、第２左レンズ群Ｇ２Ｌは、光軸ＡＬ上に並ぶ少なくとも２つのレンズを有し、第２右レンズ群Ｇ２Ｒは、光軸ＡＲ上に並ぶ少なくとも２つのレンズを有している。
【００７６】
このように、光軸方向に並ぶ複数のレンズを有する構成においては、前述のように本体部４１において該光軸方向の一方側の部分と他方側の部分とで変形態様が異なると、レンズ群の光軸が適切な状態から大きくずれてしまう。それに対して、前述の如く、前側リブ４２と後側リブ４３とを左眼光学系ＳＬ又は右眼光学系ＳＲの光軸方向に並んで配置することによって、第２左レンズ群Ｇ２Ｌ及び第２右レンズ群Ｇ２Ｒの光軸の傾きのずれを抑制することができる。つまり、前記の構成がさらに効果的となる。
【００７７】
また、前側又は後側リブ４２，４３のうち左筒部４１Ｌと右筒部４１Ｒとに亘って設けられている部分は、第２左レンズ群Ｇ２Ｌと第２右レンズ群Ｇ２Ｒとの並設方向に延びている。これにより、変形量が大きい並設方向への本体部４１の熱変形を効果的に抑制することができる。
【００７８】
さらに、前側又は後側リブ４２，４３のうち左筒部４１Ｌと右筒部４１Ｒとに亘って設けられている部分は、本体部４１の上部と下部とに設けられている。これにより、本体部４１の熱変形を上部と下部とで均衡させることができ、第２左レンズ群Ｇ２Ｌと第２右レンズ群Ｇ２Ｒとの相対的な位置関係のずれをより抑制することができる。
【００７９】
さらにまた、前側又は後側リブ４２，４３は本体部４１の全周に亘って設けられている。これにより、本体部４１の熱変形をより一層抑制することができる。
【００８０】
《その他の実施形態》
前記実施形態について、以下のような構成としてもよい。
【００８１】
例えば、３Ｄアダプタ３００は、ビデオカメラ２００に設けられているが、これに限られるものではない。３Ｄアダプタ３００は、デジタルスチルカメラに用いられるものであってもよい。また、３Ｄアダプタ３００は、コンバージョンレンズではなく、カメラ本体に着脱可能又は着脱不能に取り付けられるレンズ鏡筒であってもよい。
【００８２】
また、前記前側又は後側リブ４２，４３を有するレンズ枠を備えるレンズ鏡筒は、１軸光学系を２軸光学系に切り替える３Ｄアダプタ３００に限られるものではない。すなわち、第１のレンズ群と、第１のレンズ群の外周側に配置された第２のレンズ群とを備えたレンズ鏡筒であれば、任意のレンズ鏡筒を採用することができる。
【００８３】
また、前記実施形態では、第２左レンズ群Ｇ２Ｌと第２右レンズ群Ｇ２Ｒとを保持する中間レンズ枠４について説明したが、これに限られるものではない。第１のレンズ群と、第１のレンズ群の外周側に併設された第２のレンズ群を備えたレンズ枠であれば、任意のレンズ枠に前述のようなリブを設けることができる。
【００８４】
また、前記中間レンズ枠４が保持する第２左レンズ群Ｇ２Ｌと第２右レンズ群Ｇ２Ｒとはそれぞれ複数のレンズを有しているが、これに限られるものではない。例えば、１つのレンズで構成された第１のレンズ群と、第１のレンズ群の外周側に並設され、１つのレンズで構成された第２のレンズ群とを保持するレンズ枠であっても、前記リブを設けることができる。
【００８５】
前記中間レンズ枠４は、２つのリブ、具体的には、前側及び後側リブ４２，４３を有しているが、これに限られるものではない。中間レンズ枠４は、リブを１つだけを有する構成であってもよい。
【００８６】
また、前側及び後側リブ４２，４３は、本体部４１の全周に亘って設けられ、フランジ状になっているが、これに限られるものではない。すなわち、前側及び後側リブ４２，４３は、少なくとも左筒部４１Ｌと右筒部４１Ｒとに亘って設けられていればよく、左筒部４１Ｌの左側部や右筒部４１Ｒの右側部にはリブが存在しなくてもよい。また、前側及び後側リブ４２，４３は、本体部４１の上部と下部との両方において、左筒部４１Ｌと右筒部４１Ｒとに亘って設けられている必要はない。前側又は後側リブ４２，４３は、本体部４１の上部及び下部の少なくとも一方において、左筒部４１Ｌと右筒部４１Ｒとに亘って設けられていればよい。
【００８７】
また、中間レンズ枠４は、略筒状の左筒部４１Ｌと右筒部４１Ｒとを有しているが、これに限られるものではない。リブが設けられるレンズ枠は、第１のレンズ群を保持する第１保持部と、第１のレンズ群の外周側に並設された第２のレンズ群を保持する第２の保持部を有する構成であればよい。その場合、リブは、少なくとも第１の保持部と第２の保持部とに亘って設けられていればよい。
【００８８】
また、前側及び後側リブ４２，４３は、本体部４１の周方向に沿って延びている。すなわち、前側及び後側リブ４２，４３は、光軸ＡＬ及び光軸ＡＲに概ね直交する面内で延びている。しかし、これに限られるものではない。リブは、第１の保持部と第２の保持部とに亘って設けられている限り、該面と交差するように延びていてもよい。
【００８９】
本発明は、前記実施形態に限定されず、その精神または主要な特徴から逸脱することなく他のいろいろな形で実施することができる。このように、上述の実施形態はあらゆる点で単なる例示に過ぎず、限定的に解釈してはならない。本発明の範囲は特許請求の範囲によって示すものであって、明細書本文には何ら拘束されない。さらに、特許請求の範囲の均等範囲に属する変形や変更は、すべて本発明の範囲内のものである。
【産業上の利用可能性】
【００９０】
以上説明したように、本発明は、第１のレンズ群と、該第１のレンズ群の外周側に並設された第２のレンズ群とを備えるレンズ鏡筒について有用である。
【符号の説明】
【００９１】
１００      ビデオカメラユニット
２００      ビデオカメラ
３００      ３Ｄアダプタ
４００      ケーシング
５００      鏡筒ユニット
６００      第１調整機構
１          本体枠
３          可動レンズ枠
４          中間レンズ枠（レンズ枠）
４１        本体部
４２        前側リブ（リブ）
４３        後側リブ（リブ）
５          プリズム枠
６          第２調整機構
６０        シャフト
７１        第１調整ネジ
７２        第２調整ネジ
７３        第３調整ネジ
７４        コイルバネ
７５        第１板バネ
７６        第２板バネ
Ｇ１Ｌ      第１左レンズ群
Ｇ１Ｒ      第１右レンズ群
Ｇ２Ｌ      第２左レンズ群（第１のレンズ群）
Ｇ２Ｒ      第２右レンズ群（第２のレンズ群）
ＳＬ        左眼光学系（第１の光学系）
ＳＲ        右眼光学系（第２の光学系）
【図１】
2013145296.tif 000003
【図２】
2013145296.tif 000004
【図３】
2013145296.tif 000005
【図４】
2013145296.tif 000006
【図５】
2013145296.tif 000007
【図６】
2013145296.tif 000008
【図７】
2013145296.tif 000009
【図８】
2013145296.tif 000010
【図９】
2013145296.tif 000011
【図１０】
2013145296.tif 000012
【図１１】
2013145296.tif 000013
【図１２】
2013145296.tif 000014
【図１３】
2013145296.tif 000015
【図１４】
2013145296.tif 000016